(57)【要約】      （修正有）【課題】物品を収納する収納体を浴室の内壁に取り付け、取り外し自在とすることで、収納体を清潔に保つことができる収納体の取付構造を提供する。【解決手段】物品を収納する収納体２Ａを、浴室３を構成する内壁３２に取り付ける収納体の取付構造１Ａは、内壁には該内壁の複数箇所に固定される係止受け部５Ａが設けられ、収納体には、係止受け部に着脱可能に係止する係止部４Ａが設けられている。【選択図】図３
0003173719.tif 000002
【実用新案登録請求の範囲】
【請求項１】
物品を収納する収納体を、浴室を構成する内壁に取り付ける収納体の取付構造であって、
前記内壁には該内壁の複数箇所に固定される係止受け部が設けられ、
前記収納体には、前記係止受け部に着脱可能に係止する係止部が設けられていることを特徴とする収納体の取付構造。
【請求項２】
前記係止受け部は、前記内壁の前記複数個所から棒状に立設された軸部と、該軸部に設けられているとともに前記軸部よりも大径な頭部と、を有し、
前記係止部は、前記頭部を挿通させる大径部と、該大径部の鉛直方向の上方側に連通されるとともに内側に前記軸部を位置付ける小径部と、を有する係止孔を有していることを特徴とする請求項１記載の収納体の取付構造。
【請求項３】
前記係止受け部は、前記内壁の前記複数個所から棒状に立設された少なくとも一対の立設部と、該一対の立設部を連結する連結部と、を有し、
前記収納体は前記物品を収納する箱本体を有し、前記係止部は、前記箱本体の上端縁から外側方向に延びた一対の延出部を有し、
前記箱本体が、前記一対の立設部間における前記連結部と前記内壁との間に位置付けられ、前記一対の延出部が前記一対の立設部上に載置されることを特徴とする請求項１記載の収納体の取付構造。
【考案の詳細な説明】
【技術分野】
【０００１】
本考案は、物品を収納する収納体を、浴室を構成する内壁に取り付ける収納体の取付構造に関するものである。
【背景技術】
【０００２】
浴室で用いるシャンプーや石鹸等の物品を収納する収納棚は、浴室を構成する内壁に設けられた凹部内に嵌め込まれ、該浴室の内壁に固定されるのが一般的であった（例えば、特許文献１を参照）。
【先行技術文献】
【特許文献】
【０００３】
【特許文献１】特開２０１０−５３６８６号公報
【考案の概要】
【考案が解決しようとする課題】
【０００４】
ところで、上述した従来の収納棚内に、長期間、シャンプーや石鹸等の物品を収納していると、浴室内の湿気でカビ等が付着しやすくなるので、洗浄棚を洗浄することが必要であるが、従来の収納棚は浴室の内壁と一体であるため取り外すことができず、このために、収納棚を洗浄し難く該収納棚を清潔に保つのが難しいという問題があった。
【０００５】
本考案の目的は、物品を収納する収納体を浴室の内壁に取り付け、取り外し自在とすることで、収納体を清潔に保つことができる収納体の取付構造を提供することにある。
【課題を解決するための手段】
【０００６】
請求項１に記載の本考案は、物品を収納する収納体を、浴室を構成する内壁に取り付ける収納体の取付構造であって、前記内壁には該内壁の複数箇所に固定される係止受け部が設けられ、前記収納体には、前記係止受け部に着脱可能に係止する係止部が設けられていることを特徴とする。
【０００７】
上記構成により、収納体に設けられた係止部が、内壁の係止受け部に着脱可能に係止することにより収納体が内壁に取り付けられ、かつ、係止部の係止受け部への係止が解除されることにより、収納体が内壁から取り外される。
【０００８】
請求項２に記載の本考案は、請求項１に記載の本考案において、前記係止受け部は、前記内壁の前記複数個所から棒状に立設された軸部と、該軸部に設けられているとともに前記軸部よりも大径な頭部と、を有し、前記係止部は、前記頭部を挿通させる大径部と、該大径部の鉛直方向の上方側に連通されるとともに内側に前記軸部を位置付ける小径部と、を有する係止孔を有していることを特徴とする。
【０００９】
上記構成により、浴室の内壁における係止受け部の頭部が、収納体における係止部の大径部の内側に挿通され、係止受け部の軸部が係止部の小径部の内側に位置付けられることにより、係止部が係止受け部に係止して、収納体が浴室の内壁に取り付けられる。また、収納体を持ち上げ、係止受け部の頭部を係止部の大径部の内側に位置付け、係止受け部から係止部を引き抜くことにより、係止部の係止受け部への係止が解除され、収納体が浴室の内壁から取り外される。
【００１０】
請求項３に記載の本考案は、請求項１に記載の本考案において、前記係止受け部は、前記内壁の前記複数個所から棒状に立設された少なくとも一対の立設部と、該一対の立設部を連結する連結部と、を有し、前記収納体は前記物品を収納する箱本体を有し、前記係止部は、前記箱本体の上端縁から外側方向に延びた一対の延出部を有し、前記箱本体が、前記一対の立設部間における前記連結部と前記内壁との間に位置付けられ、前記一対の延出部が前記一対の立設部上に載置されることを特徴とする。
【００１１】
上記構成により、収納体の箱本体を、浴室の内壁における係止受け部よりも上方側から、係止受け部の一対の立設部間における連結部と内壁との間に挿通することにより、収納体における一対の係止部が、係止受け部の一対の立設部上に載置され、収納体が浴室の内壁に取り付けられる。また、収納体を持ち上げ、収納体を一対の立設部間における連結部と内壁との間から引き抜くことにより、収納体が浴室の内壁から取り外される。
【考案の効果】
【００１２】
請求項１に記載の本考案によれば、収納体に設けられた係止部を、内壁の係止受け部に着係止させることにより収納体を内壁に取り付け、かつ、係止部の係止受け部への係止を解除することにより、収納体を内壁から取り外すことができ、係止部の係止受け部への係止や、係止部の係止受け部への係止解除する容易な手段で、収納体を浴室の内壁に取り付けや、取り外しができる。このように、収納体の浴室の内壁への取り付け、取り外しが簡単にできるから、収納体を洗浄し易くできるとともに、収納体のみを新しいものに交換することもできるので、収納体を清潔に保つことができる。
【００１３】
請求項２に記載の本考案によれば、浴室の内壁における係止受け部の頭部を、収納体における係止部の大径部の内側に挿通し、係止受け部の軸部を係止部の小径部の内側に位置付ける容易な手段で、係止部を係止受け部に係止させ、収納体を浴室の内壁に取り付けることができ、収納体を持ち上げ、係止受け部の頭部を係止部の大径部の内側に位置付け、係止受け部の頭部から係止部の大径部を引き抜くことにより、係止部の係止受け部への係止を解除し、収納体を浴室の内壁から取り外すことができる。このように、収納体の浴室の内壁への取り付け、取り外しを簡単にできる。
【００１４】
また、収納体が浴室の内壁に取り付けられた状態で、収納体に、水平方向の外力がかけられた際においても、係止受け部における軸部の外周面に、収納体の係止部における小径部の縁が当接されることにより、収納体が水平方向（矢印Ｙ方向）に動かされるのを防止できる。
【００１５】
請求項３に記載の本考案によれば、収納体の箱本体を、浴室の内壁における係止受け部よりも上方側から、係止受け部の一対の立設部間における連結部と内壁との間に挿通する容易な手段で、収納体における一対の係止部を係止受け部の一対の立設部上に載置し、収納体を浴室の内壁に取り付けることができ、収納体を持ち上げ、収納体を一対の立設部間における連結部と内壁との間から引き抜くことにより、収納体を浴室の内壁から取り外すことができる。このように、収納体の浴室の内壁への取り付け、取り外しを簡単にできる。
【図面の簡単な説明】
【００１６】
【図１】本考案の「収納体の取付構造」を備えた浴室の一部を示す斜視図である。
【図２】図１に示された「収納体の取付構造」の第１の実施形態を示す斜視図である。
【図３】（Ａ）は、図２に示された「収納体の取付構造」の平面図であり、（Ｂ）は、（Ａ）のＩ−Ｉ線に沿う断面図である。
【図４】図１に示された「収納体の取付構造」の変形例を示す斜視図である。
【図５】（Ａ）は、図１に示された「収納体の取付構造」の第２の実施形態を示す斜視図であり、（Ｂ）は、（Ａ）の平面図である。
【考案を実施するための形態】
【００１７】
以下、本考案の一実施の形態にかかる収納体の取付構造を、図１〜図５に基づいて説明する。図１に示された収納体の取付構造１は、物品１０を収納する収納体２を、浴室３を構成する内壁３２に取り付ける構造である。この収納体２には、係止部４（後述する）が設けられ、浴室３の内壁３２には、収納体２の係止部４が着脱可能に係止する係止受け部５（後述する）が設けられている。即ち、収納体２は、浴室３の内壁３２に取り付け、取り外し自在に設けられている。本明細書では、浴室３で用いるシャンプーや石鹸、タオルＴ等を総称して「物品」と表現する。
【００１８】
浴室３は、図１に示すように、矩形状の床３０と、該床３０と対向する天井（図示しない）と、床３０から天井に連続されるとともに、床３０から立設された４つの内壁３１、３２と、で構成されている。なお、浴室３には４つの内壁が設けられているが、図１では、４つの内壁のうち２つのみを図示している。これら４つの内壁３１、３２のうち一つの内壁３１にはシャワーＳや鏡Ｍが設けられ、該内壁３１と対向する内壁（図示しない）には、当該内壁を貫通された出入り口が設けられ、内壁３１と出入り口が設けられた内壁との対向方向に交差する内壁３２には、収納体２が取り付けられる。また、内壁３２の対向方向側には浴槽（図示しない）が設けられている。内壁３２は、実用新案登録請求の範囲に記載された「内壁」に相当する。
【００１９】
収納体の取付構造１は図示例では３つ設けられ、３つの収納体の取付構造１は、浴室３の内壁３２の鉛直方向（矢印Ｚ方向）に沿って設けられている。ここで、図１中の矢印Ｚは鉛直方向を示し、矢印Ｙは水平方向を示している。また、収納体の取付構造１として、本考案の第１の実施形態にかかる収納体の取付構造１Ａ（図２〜図４に示す）、及び第２の実施形態にかかる収納体の取付構造１Ｂ（図５に示す）がある。
【００２０】
収納体２、２Ａは、図２に示すように、物品１０を収納する箱本体２０と、該箱本体２０に設けられた一対の係止部４、４Ａと、を備えている。この箱本体２０は、鉛直方向の上方側に開口２ａを有する箱状に形成されている。箱本体２０は、開口２ａと対向する位置に設けられた長方形状の底部２１と、該底部２１の短手方向（幅方向）の両端部から開口２ａに向かって連続された一対の第１側部２２と、該底部２１の長手方向の両端部から開口２ａに向かって連続された一対の第２側部２３と、を備えている。また、箱本体２０は、ワイヤが曲げられることで構成され、箱本体２０を構成する底部２１、第１側部２２、及び第２側部２３の各々は、複数のワイヤ部２５、２６、２７、２８等から成る。こうして、収納体２Ａは、箱本体２０の内側に水滴が溜まるのが防止される。箱本体２０の開口２ａは、平面視が長方形状に形成され、その短手方向の両端部に設けられた一対の第１ワイヤ部２５と、長手方向の両端部に設けられた一対の第２ワイヤ部２６と、から構成されている。
【００２１】
一対の第１側部２２のうち一方には、その長手方向の両端部に一対の係止部４Ａが設けられている。一方の第１側部２２は、その長手方向に沿う第１ワイヤ部２５と、該第１ワイヤ部２５の両端部に連なり、第１側部２２の幅方向に沿って設けられた一対の第３ワイヤ部２７と、一対の係止部４Ａ同士を連結する連結ワイヤ部２８と、を備えている。一対の第３ワイヤ部２７の各々は、第１ワイヤ部２５の長手方向の両端部、及び係止部４Ａの一端部に連なっている。連結ワイヤ部２８は、一端部が第１ワイヤ部２５に連なるとともに係止部４Ａの他端部に連なる一対の平行部２８Ａと、該一対の平行部２８Ａの他端同士を連ねる連結部２８Ｂとによってコ字状に形成されている。
【００２２】
一対の係止部４Ａの各々は、図２に示すように、板状の取付片４０と、該取付片４０を貫通する係止孔４１と、を有している。取付片４０は、鉛直方向（矢印Ｚ方向）に沿って延びた本体部４２と、該本体部４２の上端から折れ曲がった折曲部４３と、によってＬ字状に形成されている。本体部４２は、第３ワイヤ部２７、及び連結ワイヤ部２８における一対の平行部２８Ａの外側面に固着され、折曲部４３は第１ワイヤ部２５の上面に固着されている。また、折曲部４３の幅方向の寸法、即ち、箱本体２０の開口２ａにおける幅方向に沿う寸法は、第１ワイヤ部２５の径方向の寸法よりも僅かに大きく形成され、折曲部４３が第１ワイヤ部２５の上面を覆っている。
【００２３】
係止孔４１は、大径部４ａと、該大径部４ａの鉛直方向（矢印Ｚ方向）の上方側に連通する小径部４ｂと、を有し、だるま状に形成されている。この大径部４ａの径方向の寸法は、係止受け部５Ａの頭部５３（後述する）の径方向の寸法よりも大きく形成され、小径部４ｂの径方向の寸法は、係止受け部５Ａの軸部５２の径方向の寸法よりも大きく形成されている。
【００２４】
係止受け部５、５Ａは、図２、図３に示すように、浴室３の内壁３２から突出しているとともに、水平方向（矢印Ｙ方向）に間隔をあけて設けられた一対の座部５１と、該一対の座部５１の各々から棒状に立設されているとともに座部５１よりも小径な一対の軸部５２と、該一対の軸部５２の各々に設けられているとともに該軸部５２よりも大径な一対の頭部５３と、を一体に備えている。係止受け部５Ａは、内壁３２に２箇所で固定されている。図３（Ｂ）に示すように、各軸部５２における各座部５１と各頭部５３との間の寸法は、前述した係止部４Ａの本体部４２の厚み寸法及び第３ワイヤ部２７の径方向の寸法よりも僅かに大きくなるように形成されている。各頭部５３は、各軸部５２の各座部５１から離れた端部に設けられている。係止受け部５Ａは、座部５１と軸部５２と頭部５３とを一体に備えているが、本考案はこれに限ったものではなく、一対の座部５１と、一対の軸部５２及び一対の頭部５３と、が取り付け、取り外し自在な別部材で構成されていても良い。
【００２５】
次に、収納体２Ａを浴室３の内壁３２に取り付ける方法、及び収納体２Ａを浴室３の内壁３２から取り外す方法について以下に説明する。まず、収納体２Ａにおいて箱本体２０の開口２ａを鉛直方向（矢印Ｚ方向）の上方側に向けた格好で、箱本体２０の係止部４Ａが設けられた第１側部２２を、浴室３の内壁３２に設けられた係止受け部５Ａに近付け、一対の係止受け部５Ａの各々に設けられた頭部５３を、一対の係止部４Ａの各々に設けられた大径部４ａの内側に挿通し、係止受け部５Ａの軸部５２を係止部４Ａの小径部４ｂの内側に位置付け、係止部４Ａを係止受け部５Ａに係止させ、収納体２Ａを浴室３の内壁３２に取り付ける。このように、収納体２Ａを浴室３の内壁３２に簡単に取り付けることができる。
【００２６】
収納体２Ａに、水平方向（矢印Ｙ方向）の外力がかけられた際においても、係止受け部５Ａにおける軸部５２の外周面に、収納体２Ａの係止部４Ａにおける小径部４ｂの縁、即ち取付片４０の内縁が当接されることにより、収納体２Ａが水平方向（矢印Ｙ方向）に動かされるのを防止できる。また、係止受け部５Ａには座部５１が設けられているので、収納体２Ａが浴室３の内壁３２に取り付けられると、収納体２Ａと浴室３の内壁３２との間に空気の通り道が形成され、収納体２を、より一層、清潔に保つことができるとともに、カビ等の汚れが付着し易い浴室３の内壁３２における収納体２Ａの対向部分にも汚れを付着し難くできる。
【００２７】
収納体２Ａを浴室３の内壁３２から取り外す際には、収納体２Ａを鉛直方向（矢印Ｚ方向）の上方に持ち上げ、浴室３の内壁３２に設けられた一対の係止受け部５Ａの各頭部５３に、収納体２Ａの一対の係止部４Ａの各大径部４ａを近付け、係止部４Ａの大径部４ａを係止受け部５Ａの頭部５３から引き抜き、係止部４Ａの係止受け部５Ａへの係止を解除し、収納体２Ａを浴室３の内壁３２から取り外す。このように、収納体２Ａを浴室３の内壁３２から簡単に取り外すことができる。
【００２８】
なお、上述した収納体の取付構造１Ａは、図４に示すように、収納体２Ａにおける箱本体２０にタオルかけ２９を有していてもよい。タオルかけ２９は、一端が箱本体２０の開口２ａを構成する一対の第２ワイヤ部２６の各々に連なり、他端が箱本体２０の底部２１よりも下方まで延びた一対の平行部２９Ａと、該一対の平行部２９Ａを連結する連結部２９Ｂと、によってコ字状に形成されていてもよい。なお、図４において、前述した実施形態と同一部分には、同一符号を付して説明を省略する。
【００２９】
続いて、第２の実施形態にかかる「収納体の取付構造１Ｂ」について、図５を参照して説明する。収納体２、２Ｂは、図５に示すように、物品１０を収納する箱本体２０と、該箱本体２０に設けられた一対の係止部４、４Ｂと、を備えている。なお、図５において、前述した実施形態と同一部分には、同一符号を付して説明を省略する。
【００３０】
一対の係止部４Ｂは、図５（Ａ）に示すように、箱本体２０の開口２ａを構成する一対の第２ワイヤ部２６の各々に設けられている。一対の係止部４Ｂは、一対の第２ワイヤ部２６の各々、即ち箱本体２０の上端縁から外側方向に延び、係止受け部５Ｂの一対の立設部５４（後述する）上に載置される一対の水平部４４と、該一対の水平部４４の各々から鉛直方向（矢印Ｚ方向）の下方側に曲げられた一対の曲がり部４５と、を備え、Ｌ字状に形成されている。一対の水平部４４は、一対の第２ワイヤ部２６の各々から水平方向に延びている。また、各水平部４４における箱本体２０の開口２ａの長手方向に沿う方向の寸法は、係止受け部５Ｂの各立設部５４の径方向の寸法よりも大きく形成されている。水平部４４は、実用新案登録請求の範囲に記載された「延出部」に相当する。
【００３１】
係止受け部５、５Ｂは、浴室３の内壁３２から突出しているとともに、水平方向（矢印Ｙ方向）に間隔をあけて設けられた一対の座部５１と、該各座部５１から棒状に立設された一対の立設部５４と、該一対の立設部５４同士を連結する連結部５５と、を備え、コ字状に形成されている。係止受け部５Ｂは、浴室３の内壁３２に２箇所で固定されている。この係止受け部５Ｂは、一対の座部５１と、一対の立設部５４及び連結部５５と、が別部材で構成され、一対の座部５１と、一対の立設部５４及び連結部５５とが取り付け、取り外し自在に設けられている。また、一対の立設部５４間の寸法は、収納体２Ｂの箱本体２０の長手方向の寸法よりも僅かに大きく形成されている。
【００３２】
次に、収納体２Ｂを浴室３の内壁３２に取り付ける方法、及び収納体２Ｂを浴室３の内壁３２から取り外す方法について以下に説明する。まず、収納体２Ｂにおいて箱本体２０の開口２ａを鉛直方向（矢印Ｚ方向）の上方側に向けた格好で、箱本体２０を、該箱本体２０の底部２１を係止受け部５Ｂよりも上方側に位置するように持ち上げ、箱本体２０を一対の立設部５４間における連結部５５と内壁３２との間に位置付け、一対の係止部４Ｂの一対の水平部４４を一対の係止受け部５Ｂの一対の立設部５４上に載置するとともに、各曲がり部４５と、箱本体２０の各第２側部２３との間に、各立設部５４を位置付けることにより、一対の係止部４Ｂを一対の係止受け部５Ｂに係止させ、収納体２Ｂを浴室３の内壁３２に取り付ける。このように、収納体２Ｂを浴室３の内壁３２に簡単に取り付けることができる。
【００３３】
収納体２Ｂを浴室３の内壁２１から取り外す際には、箱本体２０を、該箱本体２０の底部２１を係止受け部５Ｂよりも上方側に位置するように持ち上げ、収納体２Ｂを一対の立設部５４間における連結部５５と内壁３２との間から引き抜くことにより、係止部４Ｂの係止受け部５Ｂへの係止を解除し、収納体２Ｂを浴室３の内壁３２から取り外す。このように、収納体２Ｂを浴室３の内壁３２から簡単に取り外すことができる。
【００３４】
なお、上述した実施形態では、収納体２Ｂに設けられた一対の係止部４Ｂは、一対の水平部４４と、一対の曲がり部４５と、を備えているが、本考案はこれに限ったものではなく、一対の係止部４Ｂには一対の曲がり部４５はなくても良い。その場合には、一対の係止部４Ｂの一対の水平部４４を、一対の係止受け部５Ｂの一対の立設部５４上に載置することにより、収納体２Ｂを浴室３の内壁３２に取り付けても良い。
【００３５】
また、上述した実施形態では、収納体の取付構造１Ａに設けられた係止受け部５Ａの座部５１と、収納体の取付構造１Ｂに設けられた係止受け部５Ｂの座部５１と、は形状、及び寸法が統一され、座部５１は、係止受け部５Ａ、５Ｂの共通部品であってもよい。座部５１が収納体の取付構造１Ａ、１Ｂの共通部品であるので、例えば、係止受け部５Ａの軸部５２及び頭部５３と、係止受け部５Ｂの一対の立設部５４及び連結部５５と、を付け替えることができる。これによれば、収納体の取付構造１の利便性の向上を図ることができる。
【００３６】
また、前述した実施形態では、係止受け部５Ａ、５Ｂには座部５１が設けられているが、本考案はこれに限ったものではなく、座部５１はなくても良い。その場合には、浴室３の内壁３２から、係止受け部５Ａの軸部５２、または係止受け部５Ｂの立設部５４が立設されていても良い。
【００３７】
また、前述した実施形態では、図１に示すように、３つの収納体の取付構造１が同じ浴室３の内壁３２に設けられているが、本考案はこれに限ったものではなく、３つの収納体の取付構造１のうち、少なくとも１つ設けられていても良い。
【００３８】
また、前述した実施形態では、係止受け部５Ａ、５Ｂは、浴室３の内壁３２に２箇所で固定されているが、本考案はこれに限ったものではなく、係止受け部５Ａ、５Ｂは、浴室３の内壁３２に２箇所以上で固定されていても良い。
【００３９】
また、上述した実施形態は本考案の代表的な形態を示したに過ぎず、本考案は、実施形態に限定されるものではない。即ち、本考案の骨子を逸脱しない範囲で種々変形して実施することができる。
【符号の説明】
【００４０】
１、１Ａ、１Ｂ  収納体の取付構造
２、２Ａ、２Ｂ  収納体
３              浴室
４ａ            大径部
４ｂ            小径部
４、４Ａ、４Ｂ  係止部
５、５Ａ、５Ｂ  係止受け部
１０            物品
２０            箱本体
３２            内壁
４１            係止孔
５３            頭部
５４            一対の立設部
５５            連結部
【図１】
0003173719.tif 000003
【図２】
0003173719.tif 000004
【図３】
0003173719.tif 000005
【図４】
0003173719.tif 000006
【図５】
0003173719.tif 000007